(57)【特許請求の範囲】
【請求項１】
方法であって、
複数のデータ・フレームを含むデータ・ストリームを受信することを含み、第１のモードにある前記データ・ストリームは、各データ・フレーム中の第１の位置で送られる第１のチャネルと、前記第１の位置に続く各データ・フレーム中の第２の位置で送られる第２のチャネルとを含む、複数のコンテンツ・データのチャネルを有し、各データ・フレームは前記コンテンツ・データの開始を示す同期信号を含み、
前記データ・ストリームを第２のモードにある複数のデータ・サブ・ストリームに変換することをさらに含み、前記複数のデータ・サブ・ストリームは、前記第２のモードにある前記第１のチャネル用のデータを運ぶ第１のデータ・サブ・ストリームと、前記第２のモードにある前記第２のチャネル用のデータを運ぶ第２のデータ・サブ・ストリームとを含み、前記データ・ストリームを前記複数のデータ・サブ・ストリームに変換することは、
各データ・フレームから前記第２のチャネルを除去することにより、前記第１のデータ・サブ・ストリームを生成し、前記データ・ストリームの中の前記第２のチャネルが以前占めていたスペースを埋めるために非コンテンツ・データを前記第１のデータ・サブ・ストリームに挿入することと、
各フレームから前記第１のチャネル及び前記同期信号を除去し、各データ・フレーム中の前記第２のチャネル用のデータの前に代替の同期信号を挿入することにより、前記第２のデータ・サブ・ストリームを生成することと、
を含み、前記方法は、
前記第２のモードにおいて第１のリンクを介して前記第１のデータ・サブ・ストリームを送信し、前記第２のモードにおいて第２のリンクを介して前記第２のデータ・サブ・ストリームを送信することをさらに含むことを特徴とする方法。
【請求項２】
前記コンテンツ・データは、映像データを含むことを特徴とする、請求項１に記載の方法。
【請求項３】
前記第１のモードにある前記コンテンツ・データは３次元（３Ｄ）映像データを含み、
前記第２のモードにある前記コンテンツ・データはモノ映像データを含むことを特徴とする、請求項２に記載の方法。
【請求項４】
前記第１のチャネルは、左チャネル又は右チャネルのいずれかについてのデータを含み、前記第２のチャネルは、前記左チャネル又は右チャネルのもう一方についてのデータを含むことを特徴とする、請求項３に記載の方法。
【請求項５】
３Ｄ映像画像を生成するために前記第１のデータ・サブ・ストリームの前記データと前記第２のデータ・サブ・ストリームの前記データを結合させることをさらに含むことを特徴とする、請求項３に記載の方法。
【請求項６】
前記第１のデータ・サブ・ストリーム及び前記第２のデータ・サブ・ストリームは、前記データ・ストリームとして一緒にカプセル化された無関係なデータ・サブ・ストリームであることを特徴とする、請求項１に記載の方法。
【請求項７】
前記第１のデータ・サブ・ストリーム及び前記第２のデータ・サブ・ストリームを送信することは、前記第１のデータ・サブ・ストリームを前記第２のモードに適合する第１の受信部に送信し、前記第２のデータ・サブ・ストリームを前記第２のモードに適合する第２の受信部に送信することを含むことを特徴とする、請求項１に記載の方法。
【請求項８】
前記データ・ストリームの第１のデータ・フレームの前の、前記データ・ストリームが第１のタイプであることを示すタイプ信号を検出することをさらに含むことを特徴とする、請求項１に記載の方法。
【請求項９】
前記第２のデータ・サブ・ストリームを生成することは、非コンテンツ・データを前記第２のデータ・サブ・ストリームに挿入して、前記データ・ストリーム中の前記同期信号及び前記第１のチャネルの前記データが以前占めていたスペースを埋めることをさらに含むことを特徴とする、請求項１に記載の方法。
【請求項１０】
複数のデータ・フレームを含むデータ・ストリームを受信するための入力ポートを含み、第１のモードにある前記データ・ストリームは、各データ・フレーム中の第１の位置で送られる第１のチャネルと、前記第１の位置に続く各データ・フレーム中の第２の位置で送信される第２のチャネルとを含む複数のコンテンツ・データのチャネルを有し、各データ・フレームは前記コンテンツ・データの開始を示す同期信号を含み、
処理用のデータを保持するためのメモリと、
第２のモードにある前記第１のチャネル用のデータを運ぶ第１のデータ・サブ・ストリームを出力するための第１の出力ポートと、
前記第２のモードにある前記第２のチャネル用のデータを運ぶ第２のデータ・サブ・ストリームを出力するための第２の出力ポートと、
前記データを処理するための処理ユニットと、
をさらに含み、前記処理ユニットにより前記データを処理することは、
各データ・各フレームから前記第２のチャネルを除去することにより、前記第１のデータ・サブ・ストリームを生成し、前記データ・ストリームの中の前記第２のチャネルが以前占めていたスペースを埋めるために非コンテンツ・データを前記第１のデータ・サブ・ストリームに挿入することと、
各フレームから前記第１のチャネル及び前記同期信号を除去し、各データ・フレーム中の前記第２のチャネル用のデータの前に代替の同期信号を挿入することにより、前記第２のデータ・サブ・ストリームを生成することと、
を含むことを特徴とする装置。
【請求項１１】
前記装置は、コンピュータ・チップを含むことを特徴とする、請求項１０に記載の装置。
【請求項１２】
前記装置は、別個のユニットであることを特徴とする、請求項１０に記載の装置。
【請求項１３】
前記装置は、送信側デバイス又は受信側デバイスの部分を含むことを特徴とする、請求項１０に記載の装置。
【請求項１４】
前記コンテンツ・データは、映像データを含むことを特徴とする、請求項１０に記載の装置。
【請求項１５】
前記第１のモードにある前記コンテンツ・データは３次元（３Ｄ）映像データを含み、
前記第２のモードにある前記コンテンツ・データはモノ映像データを含むことを特徴とする、請求項１４に記載の装置。
【請求項１６】
前記第１のチャネルは、左チャネル又は右チャネルのいずれかのためのデータを含み、前記第２のチャネルは、前記左チャネル又は右チャネルのもう一方のためのデータを含むことを特徴とする、請求項１５に記載の装置。
【請求項１７】
前記第１のデータ・サブ・ストリーム及び前記第２のデータ・サブ・ストリームは、前記データ・ストリームとして一緒にカプセル化された無関係なデータ・サブ・ストリームであることを特徴とする、請求項１０に記載の装置。
【請求項１８】
前記処理ユニットにより前記データを処理することは、前記処理ユニットが、非コンテンツ・データを前記第２のデータ・サブ・ストリームに挿入し、前記データ・ストリーム中の前記同期信号及び前記第１のチャネルの前記データが以前占めていたスペースを埋めることをさらに含むことを特徴とする、請求項１０に記載の装置。
【請求項１９】
複数のデータ・フレームを含むデータ・ストリームを送信するためのソース・デバイスを含み、第１のモードにある前記データ・ストリームは、各データ・フレーム中の第１の位置で送られる第１のチャネルと、前記第１の位置に続く各データ・フレーム中の第２の位置で送信される第２のチャネルとを含む複数のコンテンツ・データのチャネルを有し、各データ・フレームは前記コンテンツ・データの開始を示す同期信号を含み、
単一のコンテンツ・データ・チャネルを有する、第２のモードにあるデータを受信するシンク・デバイスと、
前記第１のモードにある前記データ・ストリームを前記第２のモードにある複数のデータ・サブ・ストリームに変換するためのフォーマット変換要素と、
が設けられ、前記第１のモードにある前記データ・ストリームを変換することは、
各データ・フレームから前記第２のチャネルを除去することにより、第１のデータ・サブ・ストリームを生成し、前記データ・ストリームの中の前記第２のチャネルが以前占めていたスペースを埋めるために非コンテンツ・データを前記第１のデータ・サブ・ストリームに挿入することと、
各フレームから前記第１のチャネル及び前記同期信号を除去し、各データ・フレーム中の前記第２のチャネル用のデータの前に代替の同期信号を挿入することにより、第２のデータ・サブ・ストリームを生成することと、
を含むことを特徴とするシステム。
【請求項２０】
前記フォーマット変換要素は、前記ソース・デバイス及び前記シンク・デバイスとは別個のユニットを含むことを特徴とする、請求項１９に記載のシステム。
【請求項２１】
前記フォーマット変換要素は、前記ソース・デバイス又は前記シンク・デバイスの部分を含むこと特徴とする、請求項１９に記載のシステム。
【請求項２２】
前記コンテンツ・データは、映像データを含むこと特徴とする、請求項１９に記載のシステム。
【請求項２３】
前記第１のモードにある前記コンテンツ・データは３次元（３Ｄ）映像データを含み、
前記第２のモードにある前記コンテンツ・データはモノ映像データを含むこと特徴とする、請求項２２に記載のシステム。
【請求項２４】
前記第１のデータ・サブ・ストリーム及び前記第２のデータ・サブ・ストリームは、前記データ・ストリームとして一緒にカプセル化された無関係なデータ・サブ・ストリームであること特徴とする、請求項１９に記載のシステム。
【請求項２５】
プロセッサにより実行されるとき、前記プロセッサに、
複数のデータ・フレームを含むデータ・ストリームを受信することであって、第１のモードにある前記データ・ストリームは、各データ・フレーム中の第１の位置で送られる第１のチャネルと、前記第１の位置に続く各データ・フレーム中の第２の位置で送られる第２のチャネルとを含む複数のコンテンツ・データのチャネルを有し、各データ・フレームは前記コンテンツ・データの開始を示す同期信号を含む、受信することと、
前記データ・ストリームを第２のモードにある複数のデータ・サブ・ストリームに変換することであって、前記複数のデータ・サブ・ストリームは、前記第２のモードにある前記第１のチャネル用のデータを運ぶ第１のデータ・サブ・ストリームと、前記第２のモードにある前記第２のチャネル用のデータを運ぶ第２のデータ・サブ・ストリームとを含む、変換することとを含み、前記データ・ストリームを前記複数のデータ・サブ・ストリームに変換することは、
各データ・フレームから第２のチャネルを除去することにより、前記第１のデータ・サブ・ストリームを生成し、前記データ・ストリームの中の前記第２のチャネルが以前占めていたスペースを埋めるために非コンテンツ・データを前記第１のデータ・サブ・ストリームに挿入することと、
各フレームから前記第１のチャネル及び前記同期信号を除去し、各データ・フレーム中の前記第２のチャネル用のデータの前に代替の同期信号を挿入することにより、前記第２のデータ・サブ・ストリームを生成することと、
を含み、さらに、
前記第２のモードにおいて第１のリンクを介して前記第１のデータ・サブ・ストリームを送信し、前記第２のモードにおいて第２のリンクを介して前記第２のデータ・サブ・ストリームを送信すること、
を含む動作を実行させる命令のシーケンスを表すデータが上に格納されたコンピュータ可読媒体。
【請求項２６】
前記第２のデータ・サブ・ストリームの各データ・フレーム中の前記代替の同期信号の位置は、前記非コンテンツ・データの位置の後ろ、かつ、前記データ・フレーム中の前記第２のチャネル用のデータの位置の前である、
請求項９に記載の方法。
【請求項２７】
前記第２のデータ・サブ・ストリームの各データ・フレーム中の前記代替の同期信号の位置は、前記非コンテンツ・データの位置の後ろ、かつ、前記データ・フレーム中の前記第２のチャネル用のデータの位置の前である、
請求項１８に記載の装置。
【発明の詳細な説明】
【技術分野】
【０００１】
本発明の実施形態は、一般に、データ通信の分野に関し、より具体的には、データ・ストリームの複数リンクへの脱カプセル化（ｄｅ−ｅｎｃａｐｓｕｌａｔｉｏｎ）に関する。
（関連出願の相互参照）
この米国特許出願は、２００９年１２月１７日に出願された、「Ｄｅ−Ｅｎｃａｐｓｕｌａｔｉｏｎ  ｏｆ  Ｄａｔａ  Ｓｔｒｅａｍｓ  ｉｎｔｏ  Ｍｕｌｔｉｐｌｅ  Ｌｉｎｋｓ」という名称の対応する米国特許仮出願第６１／２８７，６７１号に対する優先権を主張するものであり、これを引用により組み入れる。
【背景技術】
【０００２】
特定のネットワークにおいては、コンテンツ・データは、様々な送信フォーマットで、第１のデバイスと第２のデバイスとの間でデータ・リンクを通じて送信することができる。例えば、コンテンツは、映像及び音声データを表すことができ、従って、特定のフォーマットで送信される映像データを含むことができる。
【０００３】
一例において、データ・ストリームは、複数のチャネルの形であることができる。例えば、データは、第１のデバイスから第２のデバイスに送られる、映像及び音声データ又は他のコンテンツ・データのデータ・ストリームを含むことができ、コンテンツ・データは、左チャネル及び右チャネルを含む３次元（３Ｄ）フォーマットでカプセル化された複数のデータ・チャネルを含む。例えば、データは、ＨＤＭＩ  １．４  ３Ｄビデオの形態とすることができる。（非特許文献１）
【０００４】
しかしながら、受信側デバイスが、複数チャネル・フォーマットを認識する能力をもたないことがある。例えば、受信側デバイス内の受信部は、本明細書ではモノ（即ち２次元（２Ｄ））フォーマットと呼ぶことできる単一チャネル・フォーマットのデータしか処理できないことがある。
【先行技術文献】
【非特許文献】
【０００５】
【非特許文献１】Ｈｉｇｈ  Ｄｅｆｉｎｉｔｉｏｎ  Ｍｕｌｔｉｍｅｄｉａ  Ｉｎｔｅｒｆａｃｅ」、バージョン１．４  仕様書、２００９年５月２８日発行
【非特許文献２】「Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ」、改訂版１．３、２００６年１２月２１日公表
【非特許文献３】「Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ」１３９４−１９９５、ＩＥＥＥ及び付録、１９９６年８月３０日発行
【発明の概要】
【発明が解決しようとする課題】
【０００６】
本発明の実施形態は、一般に、データ・ストリームの複数のリンクへの脱カプセル化に向けられる。
【課題を解決するための手段】
【０００７】
本発明の第１の態様においては、方法が、複数のデータ・フレームを含むデータ・ストリームを受信することを含み、第１のモードにあるデータ・ストリームは、各データ・フレーム中の第１の位置で送られる第１のチャネルと、第１の位置に続く各データ・フレーム中の第２の位置で送られる第２のチャネルとを含む、複数のコンテンツ・データのチャネルを有し、各データ・フレームは、コンテンツ・データの開始を示す同期信号を含む。この方法は、データ・ストリームを第２のモードにある複数のデータ・サブ・ストリームに変換することをさらに含み、複数のデータ・サブ・ストリームは、第２のモードにある第１のチャネル用のデータを運ぶ第１のデータ・サブ・ストリームと、第２のモードにある第２のチャネル用のデータを運ぶ第２のデータ・サブ・ストリームとを含む。データ・ストリームを複数のデータ・サブ・ストリームに変換することは、各データ・フレームから第２のチャネルを除去することにより、第１のデータ・サブ・ストリームを生成することと、各フレームから第１のチャネル及び同期信号を除去し、各データ・フレーム中の第２のチャネル・データの前に代替の同期信号を挿入することにより、第２のデータ・サブ・ストリームを生成することとを含む。この方法は、第２のモードにおいて第１のリンクを介して第１のデータ・サブ・ストリームを送信することと、第２のモードにおいて第２のリンクを介して第２のデータ・サブ・ストリームを送信することとをさらに含む。
【０００８】
本発明の第２の態様においては、装置の実施形態が、複数のデータ・フレームを含むデータ・ストリームを受信するための入力ポートを含み、第１のモードにあるデータ・ストリームは、各データ・フレーム中の第１の位置で送られる第１のチャネルと、第１の位置に続く各データ・フレーム中の第２の位置で送信される第２のチャネルとを含む複数のコンテンツ・データのチャネルを有し、各データ・フレームは、コンテンツ・データの開始を示す同期信号を含む。この装置は、処理用のデータを保持するためのメモリと、第２のモードにある第１のチャネル用のデータを運ぶ第１のデータ・サブ・ストリームを出力する第１の出力ポートと、第２のモードにある第２のチャネル用のデータを運ぶ第２のデータ・サブ・ストリームを出力する第２の出力ポートと、データのパケットを処理する処理ユニットとをさらに含み、処理ユニットによりデータを処理することは、各データ・フレームから第２のチャネルを除去することにより、第１のデータ・サブ・ストリームを生成することと、各フレームから第１のチャネル及び同期信号を除去し、各データ・フレーム中の第２のチャネル・データの前に代替の同期信号を挿入することにより、第２のデータ・サブ・ストリームを生成することとを含む。
【０００９】
本発明の実施形態が、添付図面において、限定としてではなく一例として示され、図面において、類似の参照番号は類似の要素を指す。
【図面の簡単な説明】
【００１０】
【図１】デバイス間のデータ送信の実施形態の図である。
【図２】データの送信のためのプロセスを示すフローチャートである。
【図３】フォーマット変換チップの実施形態の入力及び出力の図である。
【図４】モノ・データ・フレームに変換される３次元データ・フレームの図である。
【図５】フォーマット変換の実施形態により生成される第１のデータ・サブ・ストリームについてのデータ・フレームの図である。
【図６】フォーマット変換の実施形態により生成される第２のデータ・サブ・ストリームについてのデータ・フレームの図である。
【図７】フォーマット変換チップの実施形態を示す。
【図８】フォーマット変換システムの実施形態におけるソース・デバイスの実施形態を示す。
【図９】フォーマット変換システムの実施形態におけるシンク又は受信側デバイスの実施形態を示す。
【図１０】フォーマット変換装置又はシステムの実施形態におけるインタフェースの図である。
【図１１】フォーマット変換システムの実施形態における装置の要素の図である。
【発明を実施するための形態】
【００１１】
本発明の実施形態は、一般に、データ・ストリームの複数リンクへの脱カプセル化に向けられる。
【００１２】
幾つかの実施形態において、システムが、複数のチャネルを含むデータ・ストリームを、別個のリンクを介して送信される複数のデータ・サブ・ストリームに脱カプセル化することができる。幾つかの実施形態において、第１のデバイスは、コンテンツ・データのストリームを第２のデバイスに送信することができ、データ・ストリームは、例えば、３次元データのような多チャネル・データである。データ・ストリームは、例えば、ＨＤＭＩ（商標）（Ｈｉｇｈ−Ｄｅｆｉｎｉｔｉｏｎ  Ｍｕｌｔｉｍｅｄｉａ  Ｉｎｔｅｒｆａｃｅ）データ及びＭＨＬ（商標）（Ｍｏｂｉｌｅ  ＨＤ  Ｌｉｎｋ）データを含む音声／映像データを含むことができ、ここで、ＨＤＭＩ及びＭＨＬは、圧縮されていないデジタル・データを送信するための音声／映像インタフェースを提供する。データは、送信に先立って、ＨＤＣＰ（商標）（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）を用いた暗号化のような、暗号化を行うことができる。ＨＤＭＩは、非特許文献１及びその前後に発行された他の文書を含む、ＨＤＭＩ規格の規定により記載され得る。ＭＨＬは、ＭＨＬ規格の規定により説明することができる。ＨＤＣＰは、非特許文献２及びその前後に発行された他の文書において記載され得る。
【００１３】
幾つかの実施形態において、方法、装置、又はシステムが、データ・ストリームを、各々がオリジナル・データのチャネルの１つを表す複数のデータ・サブ・ストリームに変換することができる。例えば、データ・ストリームは、データ・パケットのストリームから成ることができ、各々のデータ・パケットは、例えば、３Ｄデータの左右チャネル等の、複数のコンテンツ・データ・チャネルを含む。装置が、こうしたデータを受信側装置に転送することを意図することがあり、ここで、受信側装置は、モノ（２Ｄ）データを受信することができ、３Ｄデータを受信することができない、１つ又はそれ以上の受信部を含むことができる。幾つかの実施形態において、複数の３Ｄに対応しない受信部による受信のために、３Ｄデータ・ストリームが、複数のモノ・データ・サブストリームに変換又は脱カプセル化される。幾つかの実施形態においては、データ・サブ・ストリームからのデータが結合されて、複数のモノ・データ・サブ・ストリームから生成される３Ｄ画像のような多チャネルの結果を生成する。幾つかの実施形態において、データ・サブ・ストリームは、オリジナルのデータ・ストリームの共通のカプセル化を共有する、無関係のデータ・サブ・ストリームとすることができる。
【００１４】
図１は、デバイス間のデータ送信の実施形態の図である。この図において、データ・ポート１０２を有する第１のデバイス１００が、データ・ポート１１２を有する第２のデバイス１１０と通信可能に結合されている。第１のデバイス１００は、複数のデータ・フレームから成るデータ・ストリームを、第２のデバイス１１０に送信する。図１において、各々のデータ・フレーム１２０は、第１のチャネル用のデータ１２４及び第２のチャネル用のデータ１２６といった、こうしたデータ・フレームにカプセル化された複数のデータのチャネルが後に続く、同期信号即ち表示１２２を含む。データは、３Ｄ  ＨＤＭＩ映像データ等の映像データを含むことができる。しかしながら、この構成においては、第２のデバイス１１０は、３Ｄデータを受信し、処理することが必要とされる。幾つかの実施形態において、データ・ストリームには、データ・フレームが３Ｄデータを含むことを示すように注釈が付けられる。幾つかの実施形態において、第１のチャネル用のデータ１２４及び第２のチャネル用のデータは、無関係なデータ・ストリームを含み得る。
【００１５】
幾つかの実施形態において、１つの受信用デバイス又は複数の受信用デバイスが、データ・ストリームの複数のチャネルを別個に受信できるように、データ送信が変換される。この図において、データ・ポート１５２を有する第１のデバイス１５０は、データ・ストリームを、複数のリンクを通じて送信される複数のデータ・サブ・ストリームに脱カプセル化する装置と通信可能に結合され、この装置は、第１のデータ・サブ・ストリームの受信のための第１のデータ・ポート１６２及び第２のデータ・サブ・ストリームの受信のための第２のデータ・ポート１６４を有する第２のデバイス１６０と通信可能に結合される、フォーマット変換チップ１７０として示される。この図においては、第１及び第２のデータ・ポートは、単一の装置の部分として示されるが、他の実施形態においては、データ・ポートを含む別個の要素が存在してもよい。
【００１６】
図示されるように、第１のデータ・ポート１６２は、同期信号１２２及び第１のチャネル・データ１２４、その後に続く第２のチャネル・データ１２６と置き換えられた制御データ／ヌル・データ１８８を含む、データ・フレーム１８０を受信する。第２のデータ・ポート１６４は、同期信号１２２及び第１のチャネル・データ１２４に置き換わった制御データ／ヌル・データ１９８、その後に続く代替の同期信号１９２及び第２のチャネル・データ１２６を含む、データ・フレーム１９０を受信する。幾つかの実施形態において、第１及び第２のデータ・サブ・ストリームは、こうしたサブ・ストリームがモノ・データを含むことを示すように変更され、このような変更は、オリジナルのデータ・ストリームの３Ｄ注釈を除去すること、又は、こうした注釈をモノ・データの送信を示す注釈に置き換えることを含むことができる。
【００１７】
図２は、データ送信のためのプロセスを示すフローチャートである。図示されるように、ソース２０２からの送信から、映像データ等のデータが得られる。データが３Ｄデータではない場合２０４、モノ・データの送信２０８を続いて行うことができる。データが３Ｄデータであり２０４、意図される受信側デバイスが３Ｄ対応の受信部を含む場合２０６、３Ｄデータの送信２１０を続いて行うことができる。幾つかの実施形態において、送信されるデータが３Ｄであり、受信部が３Ｄ対応でない場合、データは、複数のリンクを通じて送信される第１のデータ・サブ・ストリーム及び第２のデータ・サブ・ストリームに変換される２１２。このことは、データ・ストリームを第１及び第２のデータ・サブ・ストリームに変換することとして示されるが、本発明の実施形態は、いずれかの特定の数のサブ・ストリームにも限定されるものではなく、付加的なサブ・ストリームを含むことができる。
【００１８】
幾つかの実施形態において、第１のデータ・サブ・ストリームを生成するためのプロセスが、各データ・フレーム中の第２のチャネル・データを除去すること２１４と、データを挿入して、第１のチャネル・データの後のスペースを埋めること２１６とを含むことができる。幾つかの実施形態において、第２のデータ・ストリームを生成するためのプロセスが、各データ・フレーム中の同期信号を除去すること２２０と、第１のチャネル・データを除去すること２２２と、残りの第２のチャネル・データの前に代替の同期信号を挿入すること２２４と、データを挿入して、データの先頭の前のスペースを埋めること２２６とを含むことができる。幾つかの実施形態において、プロセスは、第１のデータ・サブ・ストリームを送信すること２１８と、第２のデータ・サブ・ストリームを送信することと２２８、第１のデータ・サブ・ストリーム及び第２のデータ・サブ・ストリームに基づいて３Ｄ画像又は他の結合したデータ要素を生成すること２３０とをさらに含むことができる。
【００１９】
図３は、フォーマット変換チップの実施形態の入力及び出力の図である。幾つかの実施形態において、フォーマット変換装置又要素が、システム・オン・ア・チップ（ＳＯＣ）等のフォーマット変換チップ３１０を含むことができる。フォーマット変換チップ３１０は、別個の装置若しくは要素であってもよく、又は、送信側装置若しくは要素、又は、受信側装置若しくは要素の一部であってもよい。幾つかの実施形態において、フォーマット変換チップ３１０は、３Ｄ映像データ３２０を含むＨＤＭＩ  ３Ｄデータ・ストリームを受信し、２つの出力を生成する。第１の出力は、第１のリンクを介して送信される、左チャネル・データのような第１のＨＤＭＩモノ（即ち２Ｄ）データ・サブ・ストリーム３３０である。第２の出力は、第２のリンクを介して送信される、右チャネル・データのような第２のＨＤＭＩモノ・データ・サブ・ストリーム３４０である。
【００２０】
図４は、モノ・データ・フレームに変換される３次元データ・フレームの図である。この図には、ＨＤＭＩ  １．４  ３Ｄデータ・フレームのような、データ・フレーム４００が示される。幾つかの実施形態において、データ・フレーム４００は、各データ・セットの先頭の垂直帰線区間（Ｖブランク）４１０（残りの時間はＶアクティブである）と、各データ・ラインの間の水平帰線区間（Ｈブランク）４０５（残りの時間はＨアクティブである）とを含む。この図においてはＶブランク期間４１０の先頭の３Ｄタイプ信号４１５である、あるデータ・タイプを含むように、データ・フレーム４００に注釈を付けることができる。Ｖブランク区間４１０は、データ・フレーム４２０の先頭のＶ同期区間内に含まれる同期信号を含むことができる。Ｖ同期区間の後に、随意的なアクティブ・スペース区間４３０が左チャネル・データ４２５と右チャネル・データ４３５との間にある、左チャネル・データ４２５及び右チャネル・データ４３５として示される、複数のデータのチャネルが続く。次いで、前のデータ・フレーム４００に続くＶ同期区間４４０及び左チャネル・データ４４５として示される、データ・ストリーム中の１つ又はそれ以上の付加的データ・フレームが、データ・フレーム４００に続くことができる。
【００２１】
幾つかの実施形態において、データ・フレーム４００を含むデータ・ストリームが、左チャネル・データ４２５を表す第１のデータ・サブ・ストリーム４７０、及び、右チャネル・データ４３５を表す第２のデータ・サブ・ストリーム４８０に変換される。
【００２２】
図５は、フォーマット変換の実施形態により生成される第１のデータ・サブ・ストリームについてのデータ・フレームの図である。この図において、第１のデータ・サブ・ストリームは、各データ・セットの先頭のＶブランク５１０、及び、各データ・ラインの前のＨブランク５０５を有するように示される、データ・フレーム５００を含む。幾つかの実施形態において、データ・フレーム５００は、図４の３Ｄタイプ信号４１５を除去すること、又は、こうした信号をモノ・データ・タイプ信号５１５に置き換えること等によって、変更する又はモノ・データを示すように注釈付けすることができる。幾つかの実施形態において、同期信号を有するＶ同期区間５２０がデータ・フレームを開始し、その後に左チャネル・データ５２５が続く。しかしながら、右チャネル・データ及びアクティブ・スペース区間ではなく、フォース制御データ５３０及び５３５として示される、こうしたデータと置き換えるために挿入された非コンテンツ・データが、左チャネル・データに続く。次いで、前のデータ・フレーム５００に続くＶ同期区間５４０及び左チャネル・データ５４５として示される、データ・ストリーム中の１つ又はそれ以上の付加的データ・フレームが、データ・フレーム５００に続くことができる。
【００２３】
図６は、フォーマット変換の実施形態により生成される第２のデータ・サブ・ストリームについてのデータ・フレームの図である。この図において、第１のデータ・サブ・ストリームは、各データ・セットの先頭のＶブランク６１０、及び、各データ・ラインの前のＨブランク６０５を有するように示される、データ・フレーム６００を含む。図５と同様に、幾つかの実施形態において、データ・フレーム６００は、図４の３Ｄタイプ信号４１５を除去すること、又は、こうした信号をモノ・データ・タイプ信号６１５に置き換えること等によって、変更すること又はモノ・データを示すように注釈付けすることができる。幾つかの実施形態においては、同期区間で開始するのではなく、データ・フレーム６００は、図４に示されるデータ・フレーム４００のようなオリジナルのデータ・フレーム中に与えられる同期信号及び左チャネル・データと置き換えるための、フォース制御データ６２０及び６２５として示される非コンテンツ・データで開始する。非コンテンツ・データには、同期信号を提供するための代替の垂直同期区間６３０が続き、その同期区間は、図４のオリジナルのデータ・フレーム４００のアクティブ・スペース４３０の位置に挿入される。代替の同期区間６３０には、右チャネル・データ６３５が続く。次いで、データ・フレーム６００には、次のデータ・フレームの先頭のためのフォース制御データ６４０及び６４５として示される、データ・ストリーム中の１つ又はそれ以上の付加的データ・フレームが続くことができる。
【００２４】
図７は、フォーマット変換チップの実施形態を示す。この図において、フォーマット変換装置又は要素は、フォーマット変換チップ７１０の形態である。しかしながら、実施形態は、コンピュータ・チップに限定されるものではない。この図において、フォーマット変換チップ７１０は、３Ｄ映像データのような、複数のチャネルを含むデータ・ストリーム７４０を受信するための入力データ・ポート７２０を含む。幾つかの実施形態において、チップ７１０は、第１のデータ・サブ・ストリーム７５０を出力するための第１の出力データ・ポート７２２及び第２のデータ・サブ・ストリーム７６０を出力するための第２の出力データ・ポート７２４のような、データ・ストリーム７４０から生成されたデータ・サブ・ストリームを出力するための複数の出力データ・ポートを含む。フォーマット変換チップ７１０はまた、随意的に、受信したデータを復号するための入力復号ブロック７２１、並びに送信したデータを暗号化するための１つ又はそれ以上の出力暗号化ブロック７２３及び７２５を含むこともできる。
【００２５】
幾つかの実施形態において、フォーマット変換チップは、データ・ストリームを受信するための受信部７３０と、第１の送信部７１４及び第２の送信部７１６のような、データ・サブ・ストリームを送信するための１つ又はそれ以上の送信部とを含む。幾つかの実施形態において、フォーマット変換チップは、第１及び第２のデータ・サブ・ストリームの生成を含むデータを処理するためのコントローラ又はプロセッサ７１８と、処理用のデータを格納するためのデータ格納部７１２とをさらに含む。
【００２６】
図８は、フォーマット変換システムの実施形態におけるソース・デバイス即ち送信側デバイスの実施形態を示す。幾つかの実施形態において、ソース・デバイス８１０は、３Ｄ映像データのような、複数のチャネルを含むデータ・ストリームを出力するための出力データ・ポート８２２と、データ・ストリームの送信を推進するための送信部８１４とを含む。出力データ・ポート８２０は、受信側デバイス、又は、図７に示されるフォーマット変換チップ７１０を含むことができるフォーマット変換装置又は要素８５０と結合することができる。幾つかの実施形態において、ソース・デバイス８１０は、幾つかの実施形態においてデータ・ストリームの生成を含むことができるデータを処理するためのコントローラ又はプロセッサ８１６と、送信又は処理用のデータを格納するためのデータ格納部８１２とをさらに含む。幾つかの実施形態において、ソース・デバイスは、データを暗号化するための暗号化エンジン８１８を含むことができ、かつ、幾つかの実施形態においては、外部のデータ・ソース８４０からのデータを受信するための入力データ・ポート８２０及び受信部８３０をさらに含むことができ、こうしたデータは、データ・ストリームを生成するためのデータを含む。
【００２７】
図９は、フォーマット変換システムの実施形態におけるシンク・デバイス即ち受信側デバイスの実施形態を示す。幾つかの実施形態において、シンク・デバイス９１０は、第１のデータ・サブ・ストリーム９５０を受信するための第１の入力データ・ポート９４０と、第２のデータ・サブ・ストリーム９６０の受信のための第２のデータ・ポート９４２として示される、データの受信のための１つ又はそれ以上の入力ポートとを含む。こうしたデータは、フォーマット変換を含む送信側デバイス又はフォーマット変換装置９０５から受信することができる。幾つかの実施形態において、シンク・デバイス９１０は、入力ポートを介してデータ・サブ・ストリームを受信するための１つ又はそれ以上の受信部を含むことができ、受信部は第１の受信部９３０及び第２の受信部９３２として示される。
【００２８】
幾つかの実施形態において、第２の入力データ・ポート９４２及び第２の受信部９３２は、第２のシンク／受信側デバイス９９０として示される、別個のデバイス又は要素内に含まれ得る。幾つかの実施形態において、受信部はそれぞれ、１つのデータ・チャネルを受信することができるモノ受信部であり、従って、各々の受信部は、自力で３Ｄデータ又は類似の多チャネル・データを受信することができない。幾つかの実施形態においては、第１の入力データ・ポート９４０及び第２の入力データ・ポート９４２を介して受信したデータを結合して、完全な３Ｄ画像又は他のデータ表現を形成することができる。
【００２９】
幾つかの実施形態においては、ソース・デバイス９１０は、幾つかの実施形態において、第１のデータ・サブ・ストリーム９５０及び第２のデータ・サブ・ストリーム９６０内の受信したデータを再結合することを含み得る、データの処理のためのコントローラ又はプロセッサ９１４と、送信又は処理用のデータを格納するためのデータ格納部９１２とをさらに含む。幾つかの実施形態において、ソース・デバイスは、受信したデータを必要に応じて復号するための復号エンジン９２２を含むことができる。幾つかの実施形態において、シンク・デバイスは、視聴覚データを表示するための、映像表示装置９７０及び音声スピーカ９８０等の表示デバイスを含むことができ、又は、これらと結合させることができる。
【００３０】
幾つかの実施形態において、シンク／受信側デバイス９１０は、第１のデータ・サブ・ストリーム９５０及び第２のデータ・サブ・ストリーム９６０に基づいてデータ出力を生成することができ、かつ、データ出力を別のデバイスに転送することができる。幾つかの実施形態において、デバイス９１０は、かかるデータを出力するための出力データ・ポート９４４、及び、かかるデータを送信するための送信部９１８を含むことができる。幾つかの実施形態において、デバイス９１０は、送信に先立ってデータを暗号化するための暗号化エンジン９２４を含むことができる。
【００３１】
図１０は、フォーマット変換装置又はシステムの実施形態におけるインタフェースの図である。幾つかの実施形態において、第１のデバイスがソース・デバイス１０１０とすることができ、第２のデバイスはフォーマット変換装置又は要素１０１５とすることができ、第３のデバイスは、受信したデータを利用するためのシンク・デバイス１０２０とすることができる。幾つかの実施形態において、第１のデバイス１０１０及び第２のデバイス１０１５は、複数のデータ・フレームを含むデータ・ストリームを転送するために、インタフェース・ケーブル１０３０のようなインタフェースを介してリンクされる。次いで、フォーマット変換装置又は要素１０１５は、複数のインタフェースのために、複数のインタフェース・ケーブル１０６０を介してシンク・デバイス１０２０にリンクすることができる。
【００３２】
幾つかの実施形態において、ソース・デバイス１０１０は、ケーブル１０３０を介して、データ・ストリームをフォーマット変換装置又は要素１０１５に転送することができ、データ・ストリームは、データ０＋線１０３２、データ０−線１０３４、データ１＋線１０３６、データ１−線１０３８、データ２＋線１０４０、及びデータ２−線１０４２を介してＨＤＭＩ差動信号として送られる３Ｄデータ・ストリームである。ケーブルは、差動クロック線のクロック＋１０４４及びクロック−１０４６、Ｃｏｎｓｕｍｅｒ  Ｅｌｅｃｔｒｏｎｉｃｓ  Ｃｏｎｔｒｏｌ（ＣＥＣ）制御バス１０４８、ディスプレイ・データ・チャネル（ＤＤＣ）バス１０５０、＋５ボルト電源１０５２、ＣＥＣ／ＤＤＣ接地１０５４、ホットプラグ検出１０５６、及び差動信号のための４つのシールド線１０５８をさらに含むことができる。幾つかの実施形態において、フォーマット変換装置又は要素１０１５は、データ・ストリームを、第１のデータ・サブ・ストリーム１０７０及び第２のデータ・サブ・ストリーム１０８０として示される、データ・ストリームの複数のチャネルを表す複数のデータ・サブ・ストリームに変換することができる。こうしたサブ・ストリームの各々は、インタフェースを介して送信することができる。幾つかの実施形態において、各データ・サブ・ストリームのためのインタフェースは、線１０３２−１０５８を含む、データ・ストリームのためのインタフェースと同等であり得る。
【００３３】
図１１は、フォーマット変換システムの実施形態における装置の要素の図である。この図では、本説明とは関係のない特定の標準的で周知のコンポーネントは示されていない。幾つかの実施形態の下では、デバイス１１００は、ソース／送信側デバイス、シンク／受信側デバイス、又はそれらの両方とすることができる。
【００３４】
幾つかの実施形態の下で、デバイス１１００は、相互接続部若しくはクロスバー１１０５、又はデータを送信するための他の通信手段を含む。データは、視聴覚データ及び関連した制御データを含むことができる。デバイス１１００は、情報を処理するための、相互接続部１１０５に結合された１つ又はそれ以上のプロセッサ１１１０のような処理手段を含むことができる。プロセッサ１１１０は、１つ又はそれ以上の物理プロセッサ及び１つ又はそれ以上の論理プロセッサを含むことができる。さらに、プロセッサ１１１０の各々は、複数のプロセッサ・コアを含むことができる。相互接続部１１０５は、簡単にするために、単一の相互接続部として示されるが、複数の異なる相互接続部又はバスを表すことができ、こうした相互接続部へのコンポーネントの接続は、変化し得る。図１１に示される相互接続部１１０５は、適切なブリッジ、アダプタ、又はコントローラにより接続された、いずれかの１つ又はそれ以上の別個の物理バス、ポイント・ツー・ポイント接続又はその両方を表す抽象化である。相互接続部１１０５は、例えば、システム・バス、ＰＣＩ若しくはＰＣＩｅバス、ＨｙｐｅｒＴｒａｎｓｐｏｒｔ又は業界標準アーキテクチャ（ｉｎｄｕｓｔｒｙ  ｓｔａｎｄａｒｄ  ａｒｃｈｉｔｅｃｔｕｒｅ、ＩＳＡ）バス、小型コンピュータ・システム・インタフェース（ｓｍａｌｌ  ｃｏｍｐｕｔｅｒ  ｓｙｓｔｅｍ  ｉｎｔｅｒｆａｃｅ、ＳＣＳＩ）バス、ＩＩＣ（Ｉ２Ｃ）バス、又は時として「ファイアワイヤ」と呼ばれる米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）標準１３９４バス（非特許文献３）を含むことができる。デバイス１１００は、１つ又はそれ以上のＵＳＢ互換接続に結合することができる、ＵＳＢバス１１７０等のシリアル・バスをさらに含むことができる。
【００３５】
幾つかの実施形態において、デバイス１１００は、プロセッサ１１１０により実行される情報及び命令を格納するためのメイン・メモリ１１２０として、ランダム・アクセス・メモリ（ＲＡＭ）又は他の動的記憶装置をさらに含むことができる。メイン・メモリ１１２０はまた、データ・ストリーム又はデータ・サブ・ストリーム用のデータを格納するために用いることもできる。ＲＡＭメモリは、メモリ・コンテンツのリフレッシュを必要とするダイナミック・ランダム・アクセス・メモリ（ＤＲＡＭ）と、コンテンツのリフレッシュを必要としないが高費用のスタティック・ランダム・アクセス・メモリ（ＳＲＡＭ）とを含む。ＤＲＡＭメモリは、信号を制御するためのクロック信号を含む同期式ダイナミック・ランダム・アクセス・メモリ（ｓｙｎｃｈｒｏｎｏｕｓ  ｄｙｎａｍｉｃ  ｒａｎｄｏｍ  ａｃｃｅｓｓ  ｍｅｍｏｒｙ、ＳＤＲＡＭ）と、拡張データ出力ダイナミック・ランダム・アクセス・メモリ（ｅｘｔｅｎｄｅｄ  ｄａｔａ−ｏｕｔ  ｄｙｎａｍｉｃ  ｒａｎｄｏｍ  ａｃｃｅｓｓ  ｍｅｍｏｒｙ、ＥＤＯ  ＤＲＡＭ）とを含むことができる。幾つかの実施形態において、システムのメモリは、レジスタ又は他の特定用途メモリを含むことができる。デバイス１１００はまた、プロセッサ１１１０のための静的情報及び命令を格納するための、読み出し専用メモリ（ＲＯＭ）１１２５又は他の静的記憶装置を含むこともできる。デバイス１１００は、特定の要素を格納するための１つ又はそれ以上の不揮発性メモリ要素１１３０を含むことができる。
【００３６】
情報及び命令を格納するために、データ格納部１１３５をデバイス１１００の相互接続部１１０５に結合することもできる。データ格納部１１３５は、磁気ディスク、光ディスク及びそれに対応するドライブ、又は他のメモリ・デバイスを含むことができる。こうした要素は、互いに組み合わせてもよく、又は別個のコンポーネントとしてもよく、デバイス１１００の他の要素の部分を利用してもよい。
【００３７】
デバイス１１００はまた、相互接続部１１０５を介して、表示装置又は提示装置１１４０に結合することができる。幾つかの実施形態において、表示装置は、情報即ちコンテンツをエンドユーザに対して表示するための、液晶ディスプレイ（ＬＣＤ）、プラズマ・ディスプレイ、又はいずれかの他の表示技術を含むことができる。幾つかの実施形態において、表示装置１１４０を用いて、テレビの番組を表示することができる。幾つかの環境において、表示装置１１４０は、入力装置の少なくとも一部としても用いられるタッチ・スクリーンを含むことができる。幾つかの実施形態において、表示装置１１４０は、テレビ番組の音声部分を含む音声情報を提供するためのスピーカのような、音声装置とすることができる、又は、それを含むことができる。ロセッサ１１１０への情報及び／又はコマンド選択を伝達するために、入力装置１１４５相互接続部１１０５に結合することができる。種々の実施において、入力装置１１４５は、キーボード、キーパッド、タッチ・スクリーン及びスタイラス、音声作動システム、又は他の入力装置、又はこうした装置の組み合わせとすることができる。含ませることができる他のタイプのユーザ入力装置は、１つ又はそれ以上のプロセッサ１１１０に方向情報及びコマンド選択を伝達するため、及び、表示装置１１４０上のカーソルの動きを制御するための、マウス、トラックボール、又はカーソル方向キー等のカーソル制御デバイス１１５０である。
【００３８】
１つ又はそれ以上の送信部又は受信部１１５５を相互接続部１１０５に結合することもできる。幾つかの実施形態において、デバイス１１００は、データを受送信するための１つ又はそれ以上のポート１１８０を含むことができる。受送信できるデータは、３Ｄ又はモノ・コンテンツ・データ１１８５を含むことができる。幾つかの実施形態において、モノ・コンテンツ・データに変換するために、３Ｄコンテンツ・データをフォーマット変換装置又は要素１１９０に送信することができ、幾つかの実施形態においては、３Ｄコンテンツ・データをモノ・コンテンツ・データに変換しているフォーマット変換装置又は要素１１９０からモノ・コンテンツ・データを受信することができる。さらに、デバイス１１００は、データを受送信するための、ＵＳＢ（Ｕｎｉｖｅｒｓａｌ  Ｓｅｒｉａｌ  Ｂｕｓ）１１７０を含むことができる。
【００３９】
デバイス１１００は、無線信号を介してデータを受信するための、１つ又はそれ以上のアンテナ１１５８をさらに含むことができる。デバイス１１００はまた、電力を供給又は生成するための、電源、バッテリ、太陽電池、燃料電池、又は他のシステム若しくはデバイスを含むことができる、電源デバイス又はシステム１１６０を含むことができる。電源デバイス又はシステム１１６０により供給された電力は、要求に応じて、デバイス１１００の要素に分配することができる。
【００４０】
上述の説明においては、説明目的で、本発明の完全な理解を提供するために、多数の特定の詳細が述べられる。しかしながら、これらの特定の詳細の一部なしで、本発明を実施できることは、当業者には明らかであろう。他の例では、周知の構造体及びデバイスがブロック図の形で示される。示されるコンポーネント素の間に、中間構造体が存在してもよい。本明細書で説明又は図示されるコンポーネントは、図示又は説明されない付加的な入力または出力を有することができる。図示される要素又はコンポーネントはまた、任意のフィールドの再順序付け又はフィールド・サイズの変更を含む、異なる構成又は順序で配置することもできる。
【００４１】
本発明は、種々のプロセスを含むことができる。本発明のプロセスは、ハードウェア・コンポーネントによって実行することができ、又は、命令によりプログラムされた汎用又は特定用途のプロセッサ又は論理回路にこのプロセスを実行させるために用いることができる、コンピュータ可読命令の形で具体化することができる。代替的に、プロセスは、ハードウェアとソフトウェアの組み合わせにより実行することができる。
【００４２】
本発明の部分は、本発明によるプロセスを実行するためにコンピュータ（又は他の電子デバイス）をプログラムするために用いることができるコンピュータ・プログラム命令がその上に格納されたコンピュータ可読媒体を含むことができるコンピュータ・プログラム製品として提供することができる。コンピュータ可読媒体は、これらに限定されるものではないが、フロッピー（登録商標）ディスク、光ディスク、ＣＤ−ＲＯＭ（コンパクト・ディスク読み出し専用メモリ）、及び光磁気ディスク、ＲＯＭ（読み出し専用メモリ）、ＲＡＭ（ランダム・アクセス・メモリ）、ＥＰＲＯＭ（消去可能プログラム可能読み出し専用メモリ）、ＥＥＰＲＯＭ（電気的消去可能プログラム可能読み出し専用メモリ）、磁気カード若しくは光カード、フラッシュメモリ、又は電子命令の格納に適した他のタイプの媒体／コンピュータ可読媒体を含むことができる。さらに、本発明はまた、コンピュータ・プログラム製品としてダウンロードすることができ、プログラムは、遠隔コンピュータから要求側コンピュータに転送することができる。
【００４３】
方法の多くは、その最も基本的な形態で説明されるが、本発明の基本的な範囲から逸脱することなく、プロセスを方法のいずれかに追加し又はこれから削除することができ、情報を前述のメッセージのいずれかに追加し又はこれから除去することができる。多くの更なる変更及び適合をなし得るが、当業者には明らかであろう。特定の実施形態は、本発明を限定するためではなく、本発明を説明するために与えられる。
【００４４】
要素「Ａ」が要素「Ｂ」に結合される、又は「Ｂ」と結合されると言われる場合、要素Ａは要素Ｂに直接結合することもあり、又は、例えば要素Ｃを通じて間接的に結合することもある。本明細書において、コンポーネント、特徴、構造体、プロセス、又は特性Ａが、コンポーネント、特徴、構造体、プロセス、又は特性Ｂを「もたらす（ｃａｕｓｅ）」と述べられる場合、それは、「Ａ」が少なくとも「Ｂ」の部分的な原因であることを意味するが、「Ｂ」をもたらすのを助ける少なくとも１つの他のコンポーネント、特徴、構造体、プロセス、又は特性が存在し得ることも意味する。本明細書において、コンポーネント、特徴、構造体、プロセス、又は特性を「含む可能性がある」、「含んでもよい」、「含むことができる」と述べる場合、その特定のコンポーネント、特徴、構造体、プロセス、又は特性が含まれることを必ずしも必要としない。本明細書が「ａ」又は「ａｎ」要素に言及する場合、このことは、説明された要素の１つだけが存在することを意味するものではない。
【００４５】
実施形態は、本発明の実装又は例である。本明細書における「実施形態」、「１つの実施形態」、「幾つかの実施形態」又は「他の実施形態」への言及は、その実施形態と関連して説明される特定の特徴、構造体、又は特性が、少なくとも幾つかの実施形態に含まれることを意味するが、必ずしも全ての実施形態に含まれることを意味するものではない。「実施形態」、「１つの実施形態」又は「幾つかの実施形態」の種々の出現は、必ずしも全てが同一の実施形態を指すものではない。本開示の合理化、及び、種々の本発明の態様の１つ又はそれ以上の理解を助ける目的で、本発明の種々の特徴をまとめて単一の実施形態、図、又は説明にすることがあることを理解すべきである
【符号の説明】
【００４６】
１００、１５０、１０１、１０１５：第１のデバイス
１０２、１１２、１５２、１６２、１６４：データ・ポート
１１０、１６０：第２のデバイス
１２０、１８０、１９０、４００、４２０、５００、６００：データ・フレーム
１２２、１９２：同期信号
１２４、１２６：データ
１７０：フォーマット変換チップ
１８８、１９８：制御データ
３１０、６２０、６２５、７１０：フォーマット変換チップ
３２０：３Ｄ映像データ
３３０、３４０：ＨＤＭＩモノ・データ・サブ・ストリーム
４０５、５０５、６０５：水平帰線区間（Ｈブランク）
４１０、５１０、６１０：垂直帰線区間（Ｖブランク）
４１５：３Ｄタイプ信号
４４０、５２０、５４０、６３０：垂直（Ｖ）同期区間
４２５、４４５、５２５、５４５：左チャネル・データ
４３０：アクティブ・スペース区間
４３５、６３５：右チャネル・データ
４７０、７５０、９５０、１０７０：第１のデータ・サブ・ストリーム
４８０、７６０、９６０、１０８０：第２のデータ・サブ・ストリーム
５１５、６１５：モノ・データ・タイプ信号
５３０、５３５、６２０、６２５、６４０、６４５：フォース制御データ
７１２、８１２、９１２、１１３５：データ格納部
７１４、７１６、８１４、９１８：送信部
７１８、８１６、９１４：コントローラ又はプロセッサ
７２０、９４０、９４２：入力データ・ポート
７２１：入力復号ブロック
７２２、７２４、８２０、８２２、９４４：出力データ・ポート
７２３、７２５：出力暗号化ブロック
７３０、８３０、９３０、９３２：受信部
７４０：データ・ストリーム
８１０、１０１０：ソース・デバイス
８１８、９２４：暗号化エンジン
８５０：フォーマット変換装置
８４０：データ・ソース
９１０、９９０、１０２０：シンク／受信側デバイス
９２２：復号エンジン
９７０：映像表示装置
９８０：音声スピーカ
１０１５、１１９０：フォーマット変換装置又は要素
１０３０：ケーブル
１０３２、１０３４、１０３６、１０３８、１０４０、１０４２、１０４４、１０４６、１０４８、１０５０、１０５２、１０５４、１０５６、１０５８：線
１０６０：電源デバイス又はシステム
１１０５：相互接続部
１１８５：３Ｄ又はモノ・コンテンツ・データ
【図１】
0005981847.tif 000002
【図２】
0005981847.tif 000003
【図３】
0005981847.tif 000004
【図４】
0005981847.tif 000005
【図５】
0005981847.tif 000006
【図６】
0005981847.tif 000007
【図７】
0005981847.tif 000008
【図８】
0005981847.tif 000009
【図９】
0005981847.tif 000010
【図１０】
0005981847.tif 000011
【図１１】
0005981847.tif 000012